(57)【要約】受信可能な全ての放送局から任意の放送局を直接選択して受信することが可能な放送受信装置を提供する。  受信可能な放送局の搬送周波数をサーチする放送局サーチ手段を有する放送受信部１０を備え、放送局サーチ手段がサーチした受信可能な搬送周波数を放送局情報の一覧として表示部２に表示し、この表示部２に表示された放送局情報の一覧の内からいずれかの指定を操作部４の操作により受け付け、受け付けた指定に対応する搬送周波数の放送を放送受信部１０に受信させる。【特許請求の範囲】
【請求項１】
放送を受信する放送受信手段と、該放送受信手段が受信可能な放送局の搬送周波数をサーチする放送局サーチ手段と、表示部とを備えた放送受信装置において、
前記放送局サーチ手段がサーチした受信可能な搬送周波数を記憶する記憶手段と、
前記記憶手段が記憶している搬送周波数を放送局情報の一覧として前記表示部に表示させる表示制御手段と、
前記表示部に表示された放送局情報の一覧の内からいずれかの指定を受け付ける受付手段と、
該受付手段が受け付けた指定に対応する搬送周波数の放送を前記放送受信手段に受信させる受信制御手段と
を備えることを特徴とする放送受信装置。
【請求項２】
放送を受信する放送受信手段と、該放送受信手段が受信可能な放送局の搬送周波数をサーチする放送局サーチ手段と、表示部とを備えた放送受信装置において、
複数の放送局に割当てられている搬送周波数、及び各搬送周波数に対応付けて放送局に関する付随情報をそれぞれ予め記憶した放送局情報テーブルと、
前記放送局サーチ手段がサーチした受信可能な搬送周波数に対応付けて前記放送局情報テーブルが記憶している付随情報を読み出して放送局情報の一覧として前記表示部に表示させる表示制御手段と、
前記表示部に表示された放送局情報の一覧の内からいずれかの指定を受け付ける受付手段と、
該受付手段が受け付けた指定に対応する搬送周波数の放送を前記放送受信手段に受信させる受信制御手段と
を備えることを特徴とする放送受信装置。
【請求項３】
前記付随情報は、放送局の名称，愛称，放送内容のジャンルの内の少なくとも一つを含むことを特徴とする請求項２に記載の放送受信装置。
【請求項４】
前記放送局情報テーブルは地域別に複数備えられており、
前記受付手段は地域指定を受け付け、
前記表示制御手段は前記受付手段が受け付けた地域指定に対応する地域の放送局情報テーブルが記憶している付随情報を読み出して放送局情報の一覧として前記表示部に表示させること
を特徴とする請求項２又は３に記載の放送受信装置。
【請求項５】
前記受信制御手段の制御により前記放送受信手段が受信中の放送のコンテンツに関連するコンテンツ情報を受信するコンテンツ情報受信手段と、
前記放送受信手段が受信した放送のコンテンツのデータ及び該コンテンツに関連して前記コンテンツ情報受信手段が受信したコンテンツ情報を対応付けて記録媒体に記録させる記録制御手段と、
前記記録媒体に記録されているコンテンツのデータを読み出して再生する再生手段と
を備え、
前記表示制御手段は、前記記録媒体に記録されているコンテンツ情報を前記記録媒体から読み出してコンテンツの一覧として前記表示部に表示させ、
前記受付手段は、前記表示部に表示されたコンテンツの一覧の内からいずれかの指定を受け付け、
前記再生手段は、前記受付手段が受け付けた指定に対応付けて前記記録媒体が記憶しているコンテンツのデータを読み出して再生するようにしてあること
を特徴とする請求項１乃至４のいずれか一つに記載の放送受信装置。
【請求項６】
外部のコンピュータと通信することが可能な通信手段を更に備え、
前記記録制御手段は、前記通信手段が外部のコンピュータから受信した情報に含まれるコンテンツのデータ及び該コンテンツに関連するコンテンツ情報を対応付けて前記記録媒体に記録させるようにしてあることを特徴とする請求項５に記載の放送受信装置。
【請求項７】
前記通信手段が外部のコンピュータから受信したコンテンツのデータを圧縮符号化する符号化手段と、
該符号化手段が圧縮符号化したデータを復元する復号化手段と
を更に備え、
前記受付手段は、前記通信手段が外部のコンピュータから受信したコンテンツのデータを前記符号化手段により圧縮符号化するか否かの選択を受け付け、
前記記録制御手段は、前記受付手段が圧縮符号化する選択を受け付けた場合に、前記通信手段が外部のコンピュータから受信したコンテンツのデータを前記符号化手段に圧縮符号化させて前記記録媒体に記録し、
前記再生手段は、圧縮符号化されて前記記録媒体に記録されているコンテンツのデータを再生する場合に、前記復号化手段に復元させるようにしてあること
を特徴とする請求項６に記載の放送受信装置。
【請求項８】
前記記録媒体に記録されているコンテンツ情報を抽出するための条件を受け付ける抽出条件受付手段と、
前記記録媒体に記録されているコンテンツ情報を前記抽出条件受付手段が受け付けた条件に従って抽出する抽出手段とを更に備え、
前記表示制御手段は、前記抽出手段が記録媒体から抽出したコンテンツ情報を前記記録媒体から読み出してコンテンツの一覧として前記表示部に表示させ、
前記受付手段は、前記表示部に表示されたコンテンツ情報の内からいずれかの指定を受け付け、
前記再生手段は、前記受付手段が受け付けた指定に対応付けて前記記録媒体が記憶しているコンテンツを再生するようにしてあること
を特徴とする請求項５乃至７のいずれか一つに記載の放送受信装置。
【請求項９】
前記コンテンツは楽曲であり、前記コンテンツ情報は対応するコンテンツである楽曲のジャンル，曲名，演奏者，作者の内の少なくとも一つを含むことを特徴とする請求項５乃至８のいずれか一つに記載の放送受信装置。
【請求項１０】
前記記録制御手段は、前記放送受信手段が受信した放送のコンテンツのデータ及び該コンテンツに関連して前記コンテンツ情報受信手段が受信したコンテンツ情報に加えて、受信した放送局に対応付けて前記放送局情報テーブルが記憶している付随情報を対応付けて記録媒体に記録させ、
前記抽出手段は、前記記録媒体に記録されているコンテンツ情報を付随情報の有無、付随情報の内容、またはコンテンツ情報の内容に従って並び替えて抽出するようにしてあることを特徴とする請求項８又は９に記載の放送受信装置。
【請求項１１】
前記通信手段は、複数の放送局それぞれに割り当てられた放送搬送波周波数と、放送局の付随情報とを対応付けた情報を外部のコンピュータから受信することが可能であり、
前記放送局情報テーブルは、前記通信手段が外部のコンピュータから受信した情報に基づいて記憶内容が更新されるようにしてあることを特徴とする請求項６乃至１０のいずれか一つに記載の放送受信装置。
【請求項１２】
時刻を刻時するタイマ手段を更に備え、
前記受付手段は、前記表示部に表示された放送局情報の一覧の内からいずれかの指定と、受け付けた指定に対応する搬送周波数の放送を受信して放送のコンテンツ及びコンテンツ情報の前記記録媒体への記録の開始時刻と、記録の終了時刻又は記録時間とを受け付け、
前記放送受信手段は、前記タイマ手段の刻時に従って、前記受付手段が受け付けた放送局情報と、記録の開始時刻と、記録の終了時刻又は記録時間とに従って放送を受信し、
前記記録制御手段は、前記タイマ手段の刻時に従って、前記放送受信手段が受信する放送を、前記受付手段が受け付けた放送局情報と、記録の開始時刻と、記録の終了時刻又は記録時間とに従って前記記録媒体に記録するようにしてあること
を特徴とする請求項５乃至１１のいずれか一つに記載の放送受信装置。
【請求項１３】
前記表示制御手段は、前記受付手段が受け付けた、放送局情報と、放送のコンテンツ及びコンテンツ情報の前記記録媒体への記録の開始時刻と、記録の終了時刻又は記録時間とを前記表示部に表示するようにしてあることを特徴とする請求項１２に記載の放送受信装置。
【請求項１４】
前記放送局サーチ手段は、前記放送受信手段が受信する搬送周波数帯をサーチして所定閾値以上の受信レベルが検出された搬送周波数を放送局の搬送周波数であると判定し、
前記表示制御手段は、前記表示部に表示された放送局情報の一覧にそれぞれに対応して前記放送局サーチ手段が検出した受信レベルを表示するようにしてあること
を特徴とする請求項１乃至１３のいずれか一つに記載の放送受信装置。
【発明の詳細な説明】
【技術分野】
【０００１】  本発明は受信可能な全ての放送局の内から任意の放送局を直接選択して受信することが可能な放送受信装置に関する。また本発明は、受信した放送のコンテンツを記録媒体に記録しておいて再生することが可能であり、更に外部のコンピュータからダウンロードしたコンテンツをも併せて再生することが可能な放送受信装置に関する。
【背景技術】
【０００２】  放送、具体的には音声のみ（文字情報が含まれる場合もある）の放送と、音声及び映像の放送とをそれぞれ受信する代表的な装置としてラジオとＴＶ受像機とがある。従来のこの種の放送受信装置には、受信可能な放送局（チャネル）を予め製造業者が、またはユーザが幾つかを選択して設定するプリセットと称される機能が備えられている。しかし、そのようなプリセット機能ではたとえば自動車用のオーディオ装置（カーオーディオ装置）のようにたとえばせいぜい１０チャネル程度を割り当てることが可能なプリセットボタンが設けられているにすぎない。【０００３】  また、新規に放送局が開局した場合にはその放送局を受信可能なようにユーザが自身でプリセットする必要がある。更にカーオーディオ装置又は携帯型の放送受信装置では、通常使用される地域以外へ移動した場合にはプリセットされている放送局を受信できなることがある。【０００４】  ところで近年、放送を受信するのではなく、記録媒体に予めユーザの好みに応じて音楽，映像等のコンテンツを記録しておいて再生させる装置が広く普及している。そのような装置の一例として、ヘッドフォンステレオと称される携帯型の音楽再生装置が普及している。このような音楽再生装置には再生専用型と、記録も可能ないわゆる録再型とがある。録再型の記録媒体はオーディオカセットテープ、ＣＤ、ＭＤ、ＨＤと次第に進化して大容量化すると共にランダムアクセス可能なタイプに移行している。また近年ではコンテンツとして音楽のみならず映像の記録、再生も可能な類似の装置も実用化されている。【０００５】  ところで、再生すべきコンテンツを記録するための記録媒体としては近年では上述したようにＨＤが採用されるようになっており、大記憶容量である点を利用して従来の記録媒体を採用した場合に比して非常に大量のコンテンツを記録しておくことが可能になっている。このため、ＨＤが採用される以前ではそれほど問題にはならなかったコンテンツのソースとして、インターネットが利用されるようになっている。【０００６】  たとえばＡＰＰＬＥ社が商品化している携帯型の音楽再生装置であるｉ−Ｐｏｄ（商品名：非特許文献１参照）では、インターネットに接続された外部のコンピュータに特定のウェブサイトからコンテンツとしての楽曲データとその楽曲に付属する種々の情報、たとえば曲名、演奏者等のコンテンツ情報）をダウンロードして蓄積したミュージックコレクションの管理、共有を行なうと共に、コンピュータそのもので楽曲データを再生することも可能である。そして更に、そのようなコンピュータとｉ−Ｐｏｄとを通信ケーブルを介して接続することにより、コンピュータに特定のウェブサイトからダウンロードして蓄積した楽曲データをｉ−Ｐｏｄに送信して、換言すればコンピュータからｉ−Ｐｏｄへダウンロードして携帯型の音楽再生装置、具体的にはヘッドフォンステレオとして使用することが可能である。なお、コンピュータを介さずに直接インターネットを介して特定のＷｅｂサイトへアクセス可能なこの種の装置も存在するが、この場合でも外部のコンピュータに接続する（インターネットを介して）ことにはかわりはない。【０００７】  ｉ−Ｐｏｄは、コンピュータからダウンロードした楽曲データを特定する情報、たとえば曲名等を一覧表示し、この一覧表示した情報からユーザが選択した楽曲データを再生する機能を備えている。コンピュータに蓄積されている楽曲データはコンピュータのＯＳ（オペレーティングシステム）がＷｉｎｄｏｗｓ（登録商標）である場合はＷＭＡフォーマットで圧縮エンコードされ、これをｉ−ＰｏｄでＡＡＣフォーマットに変換し、更に圧縮してデータとして記録媒体であるＨＤに記録しておき、随時再生することが可能である。なお、ユーザが高音質を望む場合は、圧縮率の低いＡｐｐｌｅ  Ｌｏｓｓｌｅｓｓフォーマットでエンコードすることも可能である。【０００８】  一方、放送を受信することが可能で、しかもインターネット上に存在するコンテンツにアクセスが可能な装置としては前述したようなカーオーディオ装置の一部がそのような機能を備えており、また特許文献１に記載された受信端末が知られている。
【特許文献１】特開２００２−５８０１３号公報
【非特許文献１】ｈｔｔｐ：／／ＷＷＷ．ａｐｐｌｅ．ｃｏｍ／ＪＰ／ｉｐｏｄ／ｓｐｅｃｓ．ｈｔｍｌ
【発明の開示】
【発明が解決しようとする課題】
【０００９】  しかし、放送を受信することができるカーオーディオ装置では前述した如く、せいぜい１０チャネル程度を割り当てることが可能なプリセットボタンが設けられているにすぎず、また新規に放送局が開局した場合にはその放送局を受信可能なようにユーザが自身でプリセットする必要がある。更にカーオーディオ装置又は携帯型の放送受信装置では、通常使用される地域以外へ移動した場合にはプリセットされている放送局を受信できなくなることがある。【００１０】  更に特許文献１に開示されている、放送のコンテンツの詳細情報をインターネットを介してユーザ端末が受信する技術では、放送局自体の情報、特に新規開局した放送局の情報を入手して利用することができない。【００１１】  また更に、ｉ−Ｐｏｄは放送情報を受信して記録・再生することができない。具体的には、ｉ−Ｐｏｄでは特定のウェブサイトからのみコンテンツ、具体的には楽曲データのダウンロードが可能であるため、収集可能なコンテンツに限界がある。また、著作権保護されているコンテンツに関してはイターネットを介してではダウンロードできないため、この面でもｉ−Ｐｏｄでは収集可能なコンテンツに限界がある。【００１２】  更にｉ−Ｐｏｄでは、上述したように、特定のウェブサイトからのみインターネットを通じてコンテンツの収集が可能であるので、当然のことながら他のソース（ユーザが所有するＣＤ等の記録媒体、種々の放送等）から入手したコンテンツと併せて利用するということはできない。【００１３】  更にｉ−Ｐｏｄでは、高音質で再生するためには独自フォーマットである圧縮率が低いＡｐｐｌｅ  Ｌｏｓｓｌｅｓｓエンコードを採用しているので、高圧縮率用のエンコードと併せて複数のエンコード方式に対応する構成を採っている。このことは、複数の方式で圧縮エンコードされた楽曲データを再生するためにはそれぞれの方式に対応した複数のデコーダが必要になることを意味している。従って、それらのために必要となる回路規模、実装規模、更には消費電力の増大を招来するので、携帯型の装置としては不利な要素になることは否めない。【００１４】  本発明は以上のような事情に鑑みてなされたものであり、受信可能な全ての放送局から任意の放送局を直接選択して受信することが可能な放送受信装置の提供を主たる目的とする。また本発明は、受信した放送のコンテンツを記録媒体に記録しておいて再生することが可能であり、更に外部のコンピュータからダウンロードしたコンテンツをも併せて再生することが可能な放送受信装置の提供をも目的とする。
【課題を解決するための手段】
【００１５】  本発明は端的には、受信可能な放送局をサーチしてその結果を一覧表示し、この一覧表示から直接放送局を選択して受信することが可能な構成を採っている。また本発明は、コンピュータからダウンロードしたコンテンツを記録媒体に記録しておき、またこの記録媒体に記録されているコンテンツを再生可能に構成すると共に、放送を受信して取得したコンテンツをもコンピュータからダウンロードした情報と同様に記録媒体に記録しておき、再生することを可能にした構成を採っている。【００１６】  本発明に係る放送受信装置は、放送を受信する放送受信手段と、該放送受信手段が受信可能な放送局の搬送周波数をサーチする放送局サーチ手段と、表示部とを備えた放送受信装置において、前記放送局サーチ手段がサーチした受信可能な搬送周波数を記憶する記憶手段と、前記記憶手段が記憶している搬送周波数を放送局情報の一覧として前記表示部に表示させる表示制御手段と、前記表示部に表示された放送局情報の一覧の内からいずれかの指定を受け付ける受付手段と、該受付手段が受け付けた指定に対応する搬送周波数の放送を前記放送受信手段に受信させる受信制御手段とを備えることを特徴とする。【００１７】  このような本発明に係る放送受信装置は、放送局サーチ手段がサーチした受信可能な搬送周波数が放送局情報の一覧として表示し、その内からいずれかの指定を直接受け付けて対応する搬送周波数の放送を受信する。【００１８】  また本発明に係る放送受信装置は、放送を受信する放送受信手段と、該放送受信手段が受信可能な放送局の搬送周波数をサーチする放送局サーチ手段と、表示部とを備えた放送受信装置において、複数の放送局に割当てられている搬送周波数、及び各搬送周波数に対応付けて放送局に関する付随情報をそれぞれ予め記憶した放送局情報テーブルと、前記放送局サーチ手段がサーチした受信可能な搬送周波数に対応付けて前記放送局情報テーブルが記憶している付随情報を読み出して放送局情報の一覧として前記表示部に表示させる表示制御手段と、前記表示部に表示された放送局情報の一覧の内からいずれかの指定を受け付ける受付手段と、該受付手段が受け付けた指定に対応する搬送周波数の放送を前記放送受信手段に受信させる受信制御手段とを備えることを特徴とする。【００１９】  このような本発明に係る放送受信装置は、放送局サーチ手段がサーチした受信可能な搬送周波数に対応付けて放送局情報テーブルが記憶している付随情報が読み出されて放送局情報の一覧として表示し、その内からいずれかの指定を直接受け付けて対応する搬送周波数の放送を受信する。【００２０】  また本発明に係る放送受信装置は上記の発明において、前記付随情報は、放送局の名称，愛称，放送内容のジャンルの内の少なくとも一つを含むことを特徴とする。【００２１】  このような本発明に係る放送受信装置は上記の発明において、放送局の名称，愛称，放送内容のジャンル等の情報を付随情報として放送局情報の一覧に併せて表示する。【００２２】  また本発明に係る放送受信装置は上記のいずれかの発明において、前記放送局情報テーブルは地域別に複数備えられており、前記受付手段は地域指定を受け付け、前記表示制御手段は前記受付手段が受け��けた地域指定に対応する地域の放送局情報テーブルが記憶している付随情報を読み出して放送局情報の一覧として前記表示部に表示させることを特徴とする。【００２３】  このような本発明に係る放送受信装置は上記のいずれかの発明において、まず地域指定を受け付け、この受け付けた地域指定に対応する地域の放送局情報テーブルが記憶している付随情報を放送局情報の一覧に併せて表示する。【００２４】  また本発明に係る放送受信装置は上記のいずれかの発明において、前記受信制御手段の制御により前記放送受信手段が受信中の放送のコンテンツに関連するコンテンツ情報を受信するコンテンツ情報受信手段と、前記放送受信手段が受信した放送のコンテンツのデータ及び該コンテンツに関連して前記コンテンツ情報受信手段が受信したコンテンツ情報を対応付けて記録媒体に記録させる記録制御手段と、前記記録媒体に記録されているコンテンツのデータを読み出して再生する再生手段とを備え、前記表示制御手段は、前記記録媒体に記録されているコンテンツ情報を前記記録媒体から読み出してコンテンツの一覧として前記表示部に表示させ、前記受付手段は、前記表示部に表示されたコンテンツの一覧の内からいずれかの指定を受け付け、前記再生手段は、前記受付手段が受け付けた指定に対応付けて前記記録媒体が記憶しているコンテンツのデータを読み出して再生するようにしてあることを特徴とする。【００２５】  このような本発明に係る放送受信装置は上記のいずれかの発明において、サーチした受信可能な放送局のいずれかからコンテンツと各コンテンツに関連するコンテンツ情報とを受信して記録媒体に記録し、各コンテンツに関連するコンテンツ情報を一覧表示し、この内から指定されたコンテンツを再生する。【００２６】  また本発明に係る放送受信装置は上記の発明において、外部のコンピュータと通信することが可能な通信手段を更に備え、前記記録制御手段は、前記通信手段が外部のコンピュータから受信した情報に含まれるコンテンツのデータ及び該コンテンツに関連するコンテンツ情報を対応付けて前記記録媒体に記録させるようにしてあることを特徴とする。【００２７】  このような本発明に係る放送受信装置は上記の発明において、受信した放送からのコンテンツに加えて、外部のコンピュータからもコンテンツをダウンロードして記録媒体に記録する。【００２８】  また本発明に係る放送受信装置は上記の発明において、前記通信手段が外部のコンピュータから受信したコンテンツのデータを圧縮符号化する符号化手段と、該符号化手段が圧縮符号化したデータを復元する復号化手段とを更に備え、前記受付手段は、前記通信手段が外部のコンピュータから受信したコンテンツのデータを前記符号化手段により圧縮符号化するか否かの選択を受け付け、前記記録制御手段は、前記受付手段が圧縮符号化する選択を受け付けた場合に、前記通信手段が外部のコンピュータから受信したコンテンツのデータを前記符号化手段に圧縮符号化させて前記記録媒体に記録し、前記再生手段は、圧縮符号化されて前記記録媒体に記録されているコンテンツのデータを再生する場合に、前記復号化手段に復元させるようにしてあることを特徴とする。【００２９】  このような本発明に係る放送受信装置は上記の発明において、圧縮符号化を行なうか否かの選択を受け付け、これに応じて、たとえば外部のコンピュータから通信手段が受信したコンテンツのデータを圧縮符号化して記録媒体に記録する。【００３０】  また本発明に係る放送受信装置は上記のいずれかの発明において、前記記録媒体に記録されているコンテンツ情報を抽出するための条件を受け付ける抽出条件受付手段と、前記記録媒体に記録されているコンテンツ情報を前記抽出条件受付手段が受け付けた条件に従って抽出する抽出手段とを更に備え、前記表示制御手段は、前記抽出手段が記録媒体から抽出したコンテンツ情報を前記記録媒体から読み出してコンテンツの一覧として前記表示部に表示させ、前記受付手段は、前記表示部に表示されたコンテンツ情報の内からいずれかの指定を受け付け、前記再生手段は、前記受付手段が受け付けた指定に対応付けて前記記録媒体が記憶しているコンテンツを再生するようにしてあることを特徴とする。【００３１】  このような本発明に係る放送受信装置は上記のいずれかの発明において、コンピュータから受信したコンテンツ及び放送により受信したコンテンツのコンテンツ情報を受け付けた条件に従って記録媒体から抽出して一覧表示し、これらの内のいずれかの選択を受け付けて対応するコンテンツを再生する。【００３２】  また本発明に係る放送受信装置は上記のいずれかの発明において、前記コンテンツは楽曲であり、前記コンテンツ情報は対応するコンテンツである楽曲のジャンル，曲名，演奏者，作者の内の少なくとも一つを含むことを特徴とする。【００３３】  このような本発明に係る放送受信装置は上記のいずれかの発明において、コンテンツ情報としてそれぞれに対応するコンテンツである楽曲のジャンル，曲名，演奏者，作者の内の少なくとも一つを一覧表示する。【００３４】  また本発明に係る放送受信装置は上記のいずれかの発明において、前記記録制御手段は、前記放送受信手段が受信した放送のコンテンツのデータ及び該コンテンツに関連して前記コンテンツ情報受信手段が受信したコンテンツ情報に加えて、受信した放送局に対応付けて前記放送局情報テーブルが記憶している付随情報を対応付けて記録媒体に記録させ、前記抽出手段は、前記記録媒体に記録されているコンテンツ情報を付随情報の有無、付随情報の内容、またはコンテンツ情報の内容に従って並び替えて抽出するようにしてあることを特徴とする。【００３５】  このような本発明に係る放送受信装置は上記のいずれかの発明において、記録媒体に記録されているコンテンツ情報を付随情報の有無、付随情報の内容、またはコンテンツ情報の内容に従って並び替えて抽出することにより、放送によって受信したコンテンツであるか、コンピュータからダウンロードしたコンテンツであるか等を識別可能にする。【００３６】  また本発明に係る放送受信装置は上記のいずれかの発明において、前記通信手段は、複数の放送局それぞれに割り当てられた放送搬送波周波数と、放送局の付随情報とを対応付けた情報を外部のコンピュータから受信することが可能であり、前記放送局情報テーブルは、前記通信手段が外部のコンピュータから受信した情報に基づいて記憶内容が更新されるようにしてあ���ことを特徴とする。【００３７】  このような本発明に係る放送受信装置は上記のいずれかの発明において、たとえば外部のコンピュータ等から受信した情報で放送局情報テーブルの記憶内容を更新する。【００３８】  また本発明に係る放送受信装置は上記のいずれかの発明において、時刻を刻時するタイマ手段を更に備え、前記受付手段は、前記表示部に表示された放送局情報の一覧の内からいずれかの指定と、受け付けた指定に対応する搬送周波数の放送を受信して放送のコンテンツ及びコンテンツ情報の前記記録媒体への記録の開始時刻と、記録の終了時刻又は記録時間とを受け付け、前記放送受信手段は、前記タイマ手段の刻時に従って、前記受付手段が受け付けた放送局情報と、記録の開始時刻と、記録の終了時刻又は記録時間とに従って放送を受信し、前記記録制御手段は、前記タイマ手段の刻時に従って、前記放送受信手段が受信する放送を、前記受付手段が受け付けた放送局情報と、記録の開始時刻と、記録の終了時刻又は記録時間とに従って前記記録媒体に記録するようにしてあることを特徴とする。【００３９】  このような本発明に係る放送受信装置は上記のいずれかの発明において、表示部に表示された放送局情報の一覧の内からいずれかの指定と、受け付けた指定に対応する搬送周波数の放送を受信して放送のコンテンツ及びコンテンツ情報の記録媒体への記録の開始時刻と、記録の終了時刻又は記録時間とを受け付け、受け付けた放送局情報と、記録の開始時刻と、記録の終了時刻又は記録時間とに従って放送を受信すると共に、記録媒体に記録する。【００４０】  また本発明に係る放送受信装置は上記の発明において、前記表示制御手段は、前記受付手段が受け付けた、放送局情報と、放送のコンテンツ及びコンテンツ情報の前記記録媒体への記録の開始時刻と、記録の終了時刻又は記録時間とを前記表示部に表示するようにしてあることを特徴とする。【００４１】  このような本発明に係る放送受信装置は上記の発明において、受け付けた放送局情報と、放送のコンテンツ及びコンテンツ情報の記録媒体への記録の開始時刻と、記録の終了時刻又は記録時間とを表示部に表示する。【００４２】  また本発明に係る放送受信装置は上記のいずれかの発明において、前記放送局サーチ手段は、前記放送受信手段が受信する搬送周波数帯をサーチして所定閾値以上の受信レベルが検出された搬送周波数を放送局の搬送周波数であると判定し、前記表示制御手段は、前記表示部に表示された放送局情報の一覧にそれぞれに対応して前記放送局サーチ手段が検出した受信レベルを表示するようにしてあることを特徴とする。【００４３】  このような本発明に係る放送受信装置は上記のいずれかの発明において、表示部に表示した放送局情報の一覧にそれぞれに対応して検出した受信レベルを表示する。
【発明の効果】
【００４４】  本発明に係る放送受信装置によれば、放送局サーチ手段がサーチした受信可能な搬送周波数が放送局情報の内のいずれかを直接指定して受信することが可能になるので、プリセット可能な放送局の数に実質的に制約がなくなる。【００４５】  また本発明に係る放送受信装置によれば、放送局サーチ手段がサーチした受信可能な搬送周波数に対応付けて放送局情報テーブルが記憶している付随情報の内のいずれかを直接指定して受信することが可能になるので、プリセット可能な放送局の数に実質的に制約がなくなる。【００４６】  また本発明に係る放送受信装置によれば上記の発明において、放送局の名称，愛称，放送内容のジャンル等の情報が付随情報として放送局情報の一覧に併せて表示されるので、放送局を単に周波数で選択するのではなく、名称，愛称，放送内容のジャンル等で選択することが可能になる。【００４７】  更に本発明に係る放送受信装置によれば上記の両発明において、設定された地域に限定して放送局のサーチが行なわれるので、装置が移動したような場合に移動先の地域に対応して放送局情報の一覧が表示される。【００４８】  また本発明に係る放送受信装置によれば前記のいずれかの発明において、放送を受信してその放送コンテンツと各コンテンツに関連するコンテンツ情報とを記憶することが可能であり、またコンテンツ情報を一覧表示するので、コンテンツの内容を確認した上で再生させることが可能になる。【００４９】  更に本発明に係る放送受信装置によれば上記の発明において、受信した放送からのコンテンツに加えて、外部のコンピュータからダウンロードしたコンテンツをも記録しておき、再生することが可能になる。【００５０】  また本発明に係る放送受信装置によれば上記の発明において、再生品質を重視するか、記憶容量を重視するか等に応じて、外部のコンピュータから通信手段が受信したコンテンツのデータを圧縮符号化するか否かを選択することができる。【００５１】  更に本発明に係る放送受信装置によれば上記の各発明において、コンピュータから受信したコンテンツ及び放送により受信したコンテンツのいずれに関しても受け付けられた条件に従ってコンテンツ情報を抽出して一覧表示することが可能になる。【００５２】  また本発明に係る放送受信装置によれば上記の各発明において、記録媒体に記録されている各コンテンツそれぞれに対応するコンテンツ情報としてジャンル，曲名，演奏者，製作者等で分類が可能になり、コンテンツの内容を確認した上で再生させることが可能になる。【００５３】  また本発明に係る放送受信装置によれば上記の両発明において、記録媒体に記録されているコンテンツ情報が放送局に対応する付随情報の有無、付随情報の内容、またはコンテンツ情報の内容に従って並び替えて抽出されるので、放送によって受信したコンテンツであるか、コンピュータからダウンロードしたコンテンツであるか等が容易に識別可能になる。【００５４】  また本発明に係る放送受信装置によれば上記の各発明において、たとえば外部のコンピュータ等から受信した情報で放送局情報テーブルの記憶内容が更新されるので、新たな放送局が開局した場合等に速やかに放送局情報テーブルの内容を最新の状態に対応さ��ることが可能になる。【００５５】  また本発明に係る放送受信装置によれば上記の各発明において、受付手段が受け付けた放送局情報と、記録の開始時刻と、記録の終了時刻又は記録時間とに従って放送が受信されると共に記録媒体に記録されるという、いわゆる予約録音（録画）が可能になる。【００５６】  また本発明に係る放送受信装置によれば上記の発明において、いわゆる予約録音（録画）の設定が表示部に表示されるので、予約状態が容易に確認可能になる。【００５７】  また本発明に係る放送受信装置によれば上記の発明において、表示部に表示された放送局情報の一覧にそれぞれに対応して検出した受信レベルが表示されるので、比較的高い受信レベルの放送局のみを選択することも可能になる等、選択の際の自由度が広がる。
【図面の簡単な説明】
【００５８】
【図１】本発明に係る放送受信装置の内部構成例を示すブロック図である。
【図２】本発明に係る放送受信装置の外観を示す模式図である。
【図３】本発明に係る放送受信装置の放送局をサーチする場合（放送サーチモード）のＭＰＵによる処理手順を示すフローチャートである。
【図４】本発明に係る放送受信装置の放送局をサーチする場合（放送サーチモード）の表示部への表示状態を示す模式図である。
【図５】本発明に係る放送受信装置の放送局情報テーブルの記憶内容を示す模式図である。
【図６】本発明に係る放送受信装置の放送を受信する場合（放送受信モード）のＭＰＵによる処理手順を示すフローチャートである。
【図７】本発明に係る放送受信装置の放送を受信する場合（放送受信モード）の表示部への表示状態を示す模式図である。
【図８】本発明に係る放送受信装置のデータ通信モードのＭＰＵによる処理手順を示すフローチャートである。
【図９】本発明に係る放送受信装置のデータ通信モードのＭＰＵによる処理手順を示すフローチャートである。
【図１０】本発明に係る放送受信装置のデータ通信モードの表示部への表示状態を示す模式図である。
【図１１】本発明に係る放送受信装置の再生モードのＭＰＵによる処理手順を示すフローチャートである。
【図１２】本発明に係る放送受信装置の再生モードの表示部への表示状態を示す模式図である。
【図１３】本発明に係る放送受信装置の表示部への表示状態を示す模式図である。
【符号の説明】
【００５９】  ２  表示部
４  操作部
１０  放送受信部
１１  文字多重信号復調部
１２  放送局情報テーブル
１３  ＭＰＵ
１４  エンコード部
１５  記録／再生部
１５Ｈ  ＨＤ（ハードディスク）
１６  データ通信部
２０  デコード部
【発明を実施するための最良の形態】
【００６０】  以下、本発明をその実施の形態を示す図面を参照して具体的に説明する。図１は本発明に係る放送受信装置の内部構成例を示すブロック図であり、図２は本発明に係る放送受信装置の外観を示す模式図である。なお、以下の説明においては、本発明に係る放送受信装置が記録・再生するコンテンツは音楽のコンテンツ、即ち楽曲データであるとして説明するが、他に静止画、動画等の画像データをコンテンツとして処理するように構成することも勿論可能である。【００６１】  図２において、本発明に係る放送受信装置は、概略直方体状のケーシング１内に構成されている。ケーシング１内には、放送を受信するための外部に突出したアンテナ３，操作の補助のための案内、受信情報／受信データ等をユーザに報知するための液晶パネル等を利用した表示部２，ユーザが指示を入力するために操作する種々の操作ボタンを有する操作部４，データ通信用のスロット５，ヘッドフォン（又はイアフォン）を接続するためのヘッドフォンジャック６等が備えられている。なお、ヘッドフォンジャック６にヘッドフォンを接続する場合には、ヘッドフォンに接続されたプラグ６Ｐがヘッドフォンジャック６に挿入される。【００６２】  データ通信用のスロット５はたとえばＵＳＢケーブル等を接続するためのスロットであり、ケーシング１内部において後述するデータ通信部１６と接続する。また、ヘッドフォンジャック６には、たとえばアクティブ駆動方式のスピーカを接続することも可能である。なお、データ通信部１６を直接インターネットと通信可能に構成することも勿論可能であり、この場合にはスロット５にはモデム，ターミナルアダプタ等が接続される。【００６３】  操作部４には、録音（コンテンツ、即ち楽曲データの記録）をユーザが指示するための「ＲＥＣ」ボタン４３、録音又は再生の停止をユーザが指示するための「ＳＴＯＰ」ボタン４４、表示部２上でカーソル２Ｃを上下左右方向に移動させるための十字キー４１、「決定」であることをユーザが指示することによりカーソル２Ｃで指定した動作を実行させるための「ＳＥＴ」ボタン４２等が備えられている。なお、図２には表示部２にメニュー画面が表示されている状態が示されている。このメニュー画面では詳細は後述するが、「放送受信」、「放送局サーチ」、「再生リスト」、「ダウンロード」が選択可能である。また、表示部２をいわゆるタッチパネル方式に構成すれば、操作部４の各種ボタン、キーを削減することが可能になると共に、ユーザにとっての操作を容易にすることが可能になる。【００６４】  なお、以下の本発明に係る放送受信装置に関する説明においては、放送コンテンツとは放送を受信することにより得られるコンテンツ（楽曲データ）のことである。また、コンテンツ情報とはたとえば文字多重信号（文字多重データ）により得られる楽曲データに付属する種々の情報（たとえば、その楽曲のジャンル，曲名，演奏者，作者等と、そのコンテンツを受信した放送局に関する情報等）である。また、ダウンロードコンテンツとは、データ通信部５を通じてコンピュータから受信した、即ちダウンロードした楽曲データのことであり、この場合のコンテンツ情報とは楽曲データに付随する種々の情報（たとえば��その楽曲のジャンル，曲名，演奏者，作者等）である。従って、ダウンロードコンテンツのコンテンツ情報には放送局に関する情報は含まれない。【００６５】  なお、両者を区別する理由は、放送にはアナログ放送とデジタル放送とがあるので、放送を受信することにより得られる放送コンテンツである楽曲データにもアナログデータとデジタルデータとがあることになり、放送コンテンツには双方を含む。一方、データ通信部５から受信したダウンロードコンテンツは全てデジタルデータである。以上の相違点を明確にするために上述のように区別する。なお、アナログ放送を受信した場合のアナログ信号の楽曲データも本発明に係る放送受信装置に入力された後はデジタル変換されてデジタルデータとして扱われる。【００６６】  次に図１のブロック図を参照して本発明に係る放送受信装置の具体的な内部構成及びそれぞれの基本的な機能（動作）について簡単に説明する。【００６７】  本発明に係る放送受信装置は、アンテナ３に接続されていて放送を受信するためのチューナと搬送周波数の電界強度が所定値以上である場合に放送が行なわれていることを検出して選局（サーチ）するためのサーチ回路とを含む放送受信部１０と、放送受信部１０のサーチ回路により放送局が検出された場合にその搬送周波数に関連する情報を参照するための放送局情報テーブル１２と、放送受信部１０が受信した信号中に文字多重信号が含まれる場合にそれを復調する文字多重信号復調部１１と、楽曲データをユーザの（操作部４の操作による）指示により圧縮エンコードするエンコード部１４と、エンコードされたデータ及びロウ（ＲＡＷ）データ（非圧縮のデータ）を記録媒体であるＨＤ１５Ｈに記録させ、またこのＨＤ１５Ｈに記録されているデータを読み出して再生させる記録／再生部１５と、コンピュータとの間でデータを送受信するためのデータ通信接続プログラム１６Ｐを内蔵したデータ通信部１６と、前述した表示部２への表示を制御する表示制御部１８と、表示部２の表示に応じてユーザが選択してＨＤ１５Ｈから読み出された（再生された）楽曲データを伸張復号化する（音楽データが圧縮符号化されている場合）デコード部２０と、復号化された楽曲データまたは元々圧縮されていなかった楽曲データをアナログ信号に変換及び増幅してオーディオ信号として出力するオーディオ信号出力部２１と、ユーザからの指示を受け付ける操作部４と、操作部４からの指示に従って上述した各部の動作を制御するＭＰＵ１３とを備える。【００６８】  ＭＰＵ１３にはＲＡＭ，ＲＯＭ及びタイマが内蔵されている。ＲＯＭにはＭＰＵ１３による制御のための処理手順を記録した制御プログラムが予めインストールされている。ＲＡＭはＭＰＵ１３による種々の処理に伴なう一時的なデータを記憶するために使用される。またタイマは絶対時刻を刻時し、必要に応じて表示部２に時刻表示を行なうと共に、後述するように放送の受信の予約、及び予約により受信した放送の録音（コンテンツの記録）等にも使用される。なお、ＭＰＵ１３は、アナログ放送を受信した場合には、ユーザの指示等には拘わらずにデジタルデータに変換してエンコード部１４へ、または記録／再生部１５へ直接出力する。【００６９】  なお、コ���ピュータから受信した楽曲データも上述した記録／再生部１５によりＨＤ１５Ｈに記録され、またＨＤ１５Ｈから読み出される（再生される）。更に、オーディオ信号出力部２１には前述したヘッドフォンジャック６が接続されている。また、放送局情報テーブル１２は不揮発性のメモリ、たとえばフラッシュメモリ等を使用することが望ましいが、ＨＤ１５Ｈの適宜の記憶領域に格納しておくことも可能である。【００７０】  次に、上述のような本発明に係る放送受信装置の動作について、表示部２の表示状態を示す模式図及びＭＰＵ１３による処理手順を示すフローチャートを参照して説明する。【００７１】（放送局サーチモードの処理手順）
本発明に係る放送受信装置が受信可能な放送としてたとえば、ＦＭ放送（アナログ放送）と地上デジタル放送の携帯端末向けの１セグメント放送（デジタル放送）とがあるとする。但し、いずれか一方、または双方の放送方式に対応することも可能であるが、以下の説明ではＦＭ放送をサーチする場合を例に説明する。【００７２】  ＦＭ放送は、日本国内の場合は総務省により各放送局に対してそれぞれ個別に周波数（搬送周波数）が割当てられている。また、米国等では、各放送局は音楽，ニュース等に専門化している。そしてたとえば、音楽を専門に放送するＦＭ放送局では音楽の種類（ジャンル）、たとえばクラシック，ジャズ，ロック，カントリーアンドウェスタン等のように更に細分化して専門化しており、たとえばジャズ専門の放送局はジャズのみを放送している（以下、このような放送局を専門局という）。また、ニュース専門の場合であっても、スポーツニュース，株式ニュース等に更に細分化して専門化している場合が多い。【００７３】  以下、まず図３のフローチャートを参照して、放送局をサーチする場合（放送サーチモード）のＭＰＵ１３による処理手順について説明する。この場合、ユーザが図２に示す表示部２に表示されるメニュー画面から「放送局サーチ」を操作部４の十字キー４１を操作することによりカーソル２Ｓを移動させて選択し、「ＳＥＴ」ボタン４２を操作することにより決定する。【００７４】  メニュー画面を表示した状態においてはＭＰＵ１３はユーザによる操作入力を待機しており（ステップＳ１１でＮＯ）、上述のようにユーザが操作入力を行ない（ステップＳ１１でＹＥＳ）、それが「放送局サーチ」以外の指示であれば（ステップＳ１２でＮＯ）、指示された操作に対応する他の処理を実行し（ステップＳ１３）、ステップＳ１１へ処理を戻す。【００７５】  操作入力が「放送局サーチ」であった場合（ステップＳ１２でＹＥＳ）、次にＭＰＵ１３は図４（ａ）に示すような「地域選択画面」が表示部２に表示されるように表示制御部１８を制御する（ステップＳ１４）。一方、図５は放送局情報テーブル１２の記憶内容を示す模式図である。放送局情報テーブル１２は大きくは図５（ａ）に示すように、「北海道」、「東北」、「関東」等のような地域別に分かれている。そして各地域については図５（ｂ）に示すように、各放送局の「局名」、「愛称（無い場合もある）」、「搬送周波数」、「ジャンル」等が登録されている。「搬送周波数」についてはいわゆるサテライト局に関しても登録されており、「ジャンル」に関しては特定のジャンルがない場合には登録されていない。なお、たとえば米国ではほとんどの放送局がジャンル別にたとえば、音楽であれば「クラシック」，「ジャズ」、「ロック」、「タンゴ」、「ダンスミュージック」等のジャンルに細分化されており、ニュースであれば「株式」、「スポーツ」、「国際」等のジャンルに細部化されている。【００７６】  ＭＰＵ１３は表示部２の画面に図４（ａ）の模式図に示すような表示を行なってユーザの操作入力を待機している（ステップＳ１５でＮＯ）。そして、ユーザがいずれかの地域を操作部４の操作により選択すると（ステップＳ１５でＹＥＳ）、ＭＰＵ１３は放送受信部１０に搬送��波数をサーチさせる制御信号を送ることにより、ＦＭ放送局に割当てられている周波数帯のサーチを周波数の下限側から上限側へ向けて開始させる（ステップＳ１６）。なお、この周波数帯のサーチはＦＭ局に割り当て可能な周波数帯の全域にわたって０．１ＭＨｚ単位で行なわれる。たとえば日本国内であれば、７６．０〜１０８ＭＨｚ（ＦＭ放送自体は７６．０〜８９．９ＭＨｚであるが、ＴＶ放送の１〜３チャネルを含む）の範囲である。放送局が放送を行なっている場合、換言すれば搬送周波数の電波を送信している場合は、所定電界値以上の搬送周波数を検知することができるので、検出した搬送周波数の電界値の閾値を予め設定しておくことにより、外来ノイズであるか放送局から送信されている搬送周波数であるかを区別することができる。【００７７】  放送局から送信されている搬送周波数を検出した場合（ステップＳ１７でＹＥＳ）、ＭＰＵ１３は放送局情報テーブル１２の先に選択された地域に対応して放送局情報テーブル１２をサーチして登録済みであるか否かを判断する（ステップＳ１８）。検出された周波数が放送局情報テーブル１２に登録されていた場合（ステップＳ１８でＹＥＳ）、ＭＰＵ１３はその周波数に対応して放送局情報テーブル１２に登録されている内容、即ち放送局名，愛称（略称），放送内容のジャンル等を読み出して表示制御部１８を制御して図４（ｂ）に示すように表示部２に表示させる（ステップＳ２３）。【００７８】  一方、ステップＳ１８において検出された周波数が登録されていない場合（ステップＳ１８でＮＯ）、ＭＰＵ１３はその周波数の放送局を仮登録するか否かを促す図４（ｃ）に示すようなメッセージを表示部２に表示する（ステップＳ１９）。これに応じてユーザが操作部４の操作により仮登録することを指示した場合（ステップＳ２０でＹＥＳ）、ＭＰＵ１３はその周波数をＲＡＭに一時記憶させると共に図４（ｂ）に示すように表示部２に未知の放送局として周波数を表示し（ステップＳ２１、Ｓ２２）、後述するステップＳ２４へ処理を進める。一方、ユーザが仮登録しないことを指示した場合（ステップＳ２０でＮＯ）、ＭＰＵ１３は上述のような処理は行なわずにステップＳ２４へ処理を進める。【００７９】  上述のステップＳ２３の処理の後と、前述したステップＳ２０でＮＯであった場合と、ステップＳ２２の処理の後とには、ＭＰＵ１３は放送局のサーチが終了したか否かを判断する（ステップＳ２４）。具体的にはこの判断は、放送受信部１０のサーチ回路による周波数のサーチがＦＭ放送の周波数の上限に達したか否かで可能である。放送受信部１０のサーチ回路による周波数のサーチが終了していない場合は（ステップＳ２４でＮＯ）、ＭＰＵ１３はステップＳ１６へ処理を戻して上述同様にして放送局のサーチを継続する。一方、放送受信部１０のサーチ回路による周波数のサーチが終了した場合は（ステップＳ２４でＹＥＳ）、ＭＰＵ１３はこの「放送局サーチモード」の処理を終了する。なおこの際、サーチ結果をＨＤ１５Ｈに記録しておけば、後刻にこのサーチ結果を表示部２に表示させることが可能になる。【００８０】  以上のようにして放送局サーチモードによってサーチされたた結果は、図４（ｃ）の模式図に示すように表示部２に受信可能な放送局一覧として表示される。従って、ユーザはこの表示部２の表示を見て放送局を選択することが可能になる（放送受信モード）。なお、図２に示されている表示部２のメニュー画面の表示内容の内の「放送受信」をユーザが選択指示する操作を行なった場合には、サーチ結果がＨＤ１５Ｈに記録されていればそれが、即ち上述のようにしてユーザが「放送局サーチ」を行なわせた直近の結果が表示部２に表示される。即ち、一旦「放送局サーチ」を行なった後は通常は「放送局サーチ」を行なわずとも、表示部２に表示されるメニュー画面の「放送受信」をユーザが指示することにより「放送受信」のモードが可能になる。「放送局サーチ」はたとえば初期設定時、新たな放送局が開局したような場合、またはユーザが通常の行動範囲外へ旅行等で移動したような場合にその移動先での受信可能な放送局をサーチするために行なわれる。この点はたとえばカーオーディオの場合と類似している。【００８１】  なお、放送局情報テーブル１２を備えていない場合、または放送局情報テーブル１２を備えていたとしても内容が登録されていない場合には、サーチ結果としては受信可能な周波数のみが表示部２に表示される。この場合にも、文字多重放送によって放送局名，愛称等の情報が取得可能であればそれらが表示部２に表示される。【００８２】（放送受信モードの処理手順）
以下、図６のフローチャートを参照して、放送を受信する場合（放送受信モード）のＭＰＵ１３による処理手順について説明する。放送局の選択は図２の模式図に示す表示部２に表示されているメニュー画面の「放送受信」をユーザが操作部４を操作することにより選択すれば実行される。この場合、上述したように直近に「放送局サーチ」が行なわれた際にサーチされた放送局の一覧が表示部２に表示される。従って、このように表示部２に表示された受信可能な放送局一覧からユーザが聞きたいと希望する放送局の表示位置に十字キー４１を操作してカーソル（図４（ｃ）に右向きの△で示されている）を移動させて「ＳＥＴ」ボタン４２を操作することにより、受信する放送局が決定される。なお、表示部２がタッチパネルで構成されている場合には、ユーザが指先でタッチ操作することも可能である。【００８３】  即ち、メニュー画面を表示した状態においてＭＰＵ１３は操作入力の有無を監視しており（ステップＳ３１でＮＯ）、操作入力があると（ステップＳ３１でＹＥＳ）、それが放送局の選択操作であるか否かを判断する（ステップＳ３２）。放送局の選択操作以外の操作入力があった場合（ステップＳ３２でＮＯ）、ＭＰＵ１３は操作入力に応じた他の処理を実行し（ステップＳ３３）、ステップＳ３１へ処理を戻す。操作入力があった場合（ステップＳ３２でＹＥＳ）、ＭＰＵ１３は選択された放送局の放送を放送受信部１０に受信させ（ステップＳ３４）、文字多重放送であるか否かを判断する（ステップＳ３５）。【００８４】  受信中の放送が文字多重放送でない場合（ステップＳ３５でＮＯ）、ＭＰＵ１３は選択された放送局（受信中の放送局）の付随情報を放送局情報テーブル１２から読み出して表示制御部１８の制御により表示部２に表示させる（ステップＳ３６）。一方、受信中の放送が文字多重放送である場合（ステップＳ３５でＹＥＳ）、ＭＰＵ１３は受信中の放送を文字多重信号復調部１１に復調させることにより、受信中の放送局の付随情報及び受信中のコンテンツのコンテンツ情報（曲名等）を文字情報化し、表示制御部１８の制御により図７の模式図に示すように表示部２に表示させる（ステップＳ３７）。【００８５】  このようにして、ユーザが放送局（図７に示す例では「ＲＡＤＩＯ  ＢＥＲＲＹ（ＦＭ栃木）」）を選択すると、「ＲＡＤＩＯ  ＢＥＲＲＹ（ＦＭ栃木）」が現在放送している楽曲に関する情報（コンテンツ情報）が表示部２に表示される。図７において、「ＲＡＤＩＯ  ＢＥＲＲＹ（ＦＭ栃木）」はユーザが受信を選択したＦＭ放送局名であり、コンテンツ情報として曲名「四季」が、音楽のジャンルとして「クラシック」が、演奏者として「○○オーケストラ」がそれぞれ表示されている。但し、放送局情報テーブル１２に登録されておらず且つ文字多重放送を行なっていない未知の放送局をユーザが選択した場合には放送局名及び付随情報（放送局の愛称等）は表示されない。また、放送局情報テーブル１２に登録されていると否とには拘わらず、文字多重放送を行なっていない放送局をユーザが選択した場合には個々の音楽の付随情報は得られないので、これらに関しても表示は行なわれない。【００８６】  ここで、この時点で受信している音楽のデー���（楽曲データ）が圧縮されている場合（デジタル放送の場合）は、ＭＰＵ１３がデコード部２０で復号化処理した後にオーディオ信号出力部２１へ与えることにより、Ｄ／Ａ変換及び増幅されてアナログのオーディオ信号としてヘッドフォンジャック６から外部へ出力される。【００８７】  なお図７の下部の左側に表示されている「記録」の文字表示は、現在受信中の楽曲データを記録／再生部１５によりＨＤ１５Ｈに記録（録音）中であることを示している。ユーザが放送で受信中の楽曲データを記録させるためには「ＲＥＣ」ボタン４３を操作すればよく、記録（録音）を停止する場合は「ＳＴＯＰ」ボタン４４を操作すればよい。この際、記録／再生部１５によりＨＤ１５Ｈに記録されるデータは、少なくとも楽曲データであるコンテンツそのものと、これに付属するコンテンツ情報、たとえば曲名、ジャンル等とがリンクされている。【００８８】  具体的には以下のようなＭＰＵ１３による処理が行なわれる。図７に示すように現在受信中の音楽（放送コンテンツ）に関する情報（コンテンツ情報）が表示部２に表示されている状態において、ＭＰＵ１３はユーザが「ＲＥＣ」ボタン４３を操作したか否かを監視している（ステップＳ３８）。「ＲＥＣ」ボタン４３が操作されない場合（ステップＳ３８でＮＯ）、ＭＰＵ１３は他の操作が行なわれたか否かを監視しており（ステップＳ３９）、いずれの操作も行なわれない場合には（ステップＳ３９でＮＯ）、ＭＰＵ１３はステップＳ３８へ処理を戻す。他の操作として「終了」の操作、またはたとえば電源がオフされる等の操作が行なわれた場合（ステップＳ３９でＹＥＳ、Ｓ４０でＹＥＳ）、ＭＰＵ１３は一連の処理を終了して非動作状態になる。しかし他の操作が行なわれた場合には（ステップＳ４０でＮＯ）、ＭＰＵ１３は行なわれた操作に対応した他の処理を実行する（ステップＳ４１）。【００８９】  一方、「ＲＥＣ」ボタン４３が操作された場合（ステップＳ３８でＹＥＳ）、ＭＰＵ１３は記録／再生部１５を制御することにより、その時点で受信中の楽曲データを必要に応じてデジタルデータに変換すると共に文字多重放送で得たコンテンツ情報とをリンクさせてＨＤ１５Ｈに記録させる（ステップＳ４２）。この後はＭＰＵ１３は「ＳＴＯＰ」ボタン４４が操作されたか否かを監視しており（ステップＳ４３でＮＯ）、「ＳＴＯＰ」ボタン４４が操作されると（ステップＳ４３でＹＥＳ）、記録／再生部１５を制御することによって音楽データのＨＤ１５Ｈへの記録を停止させる（ステップＳ４４）。【００９０】  なお、上述の処理に際しては図７に示されているように、表示部２には「非圧縮」、「圧縮」の双方が表示されるので、ユーザが十字キー４１及び「ＳＥＴ」ボタン４２を操作して「圧縮」を指示すれば、ステップ４２での楽曲データのＨＤ１５Ｈへの記録に際して、受信中の楽曲データは圧縮符号化されてＨＤ１５Ｈに記録され、「非圧縮」を指示すれば、ステップ４２での楽曲データのＨＤ１５Ｈへの記録に際して、受信中の楽曲データは圧縮されずにそのままＨＤ１５Ｈに記録される。【００９１】  以上のような「放送受信モード」では、ユーザは放送を聴取することが可能であると共に、曲名等の付随情報とリンクさせて放送コンテンツである楽曲データを記録することも可能になる。【００９２】（データ通信モードの処理手順）
本発明に係る放送受信装置は、データ通信プログラム１６Ｐがインストールされたデータ通信部１６によりコンピュータと（又はインターネットを通じて直接ウェブサイトと）データ通信する機能を有している。この機能を利用して、コンピュータ（又はウェブサイト）に保存されているコンテンツとしての楽曲データ及び最新の放送局情報をダウンロードすることができる。但し、以下においてはコンピュータからダウンロードするものとして説明する。なお、コンピュータから本発明に係る放送受信装置へダウンロードされたコンテンツは放送を受信して得られた放送コンテンツと区別するために、ダウンロードコンテンツという場合がある。以下、そのようなＭＰＵ１３による「データ通信モード」の際の処理手順について、図８及び図９に示すフローチャートを参照して説明する。なお、いうまでもないが、この際にはコンピュータと一端が接続された適宜のケーブルの他端がデータ通信用のスロット５に挿入されてデータ通信部１６に接続される。【００９３】  コンピュータからコンテンツ（ダウンロードコンテンツ）である楽曲データをダウンロードする場合、図２の表示部２に示されているメニュー画面上で、ユーザが十字キー４１を操作して「ダウンロード」を選択し、「ＳＥＴ」ボタン４２を操作する。具体的には、メニュー画面を表示している状態でＭＰＵ１３はユーザによる操作入力の有無を監視しており（ステップＳ５１でＮＯ）、操作入力があると（ステップＳ５１でＹＥＳ）、「ダウンロード」の指示であるか否かを判断する（ステップＳ５２）。「ダウンロード」の指示でなかった場合は（ステップＳ５２でＮＯ）、ＭＰＵ１３は指示された他の処理を実行し（ステップＳ５３）、ステップＳ５１へ処理を戻す。【００９４】  入力された指示が「ダウンロード」の指示である場合（ステップＳ５２でＹＥＳ）、ＭＰＵ１３は表示制御部１８の制御により表示部２に「コンテンツ」のダウンロードであるか、「放送局情報」のダウンロードであるかを選択させる図１０（ａ）に示すような表示を行なわせる（ステップＳ５４）。この表示上でユーザが操作部４の操作により「放送局情報」を選択した場合（ステップＳ５５でＮＯ）、ＭＰＵ１３はコンピュータに保存されている放送局情報をデータ通信部１６を介してダウンロードしてＲＡＭに一時記憶し（ステップＳ５６）、放送局情報テーブル１２の登録内容と比較して登録されていない情報があれば放送局情報テーブル１２に登録して更新する（ステップＳ５７）。なお、コンピュータに保存されている放送局情報は、インターネットを通じて特定のウェブサイトから更新可能である。【００９５】  一方、ダウンロードの指示が「コンテンツ」であった場合は（ステップＳ５５でＹＥＳ）、ＭＰＵ１３はダウンロード可能な楽曲の楽曲データとその付属情報（コンテンツ情報）の内のたとえば曲名と演奏者程度の情報をデータ通信部１６を介して受信し、表示部２に図１０（ｂ）の模式図に示すように一覧表示する（ステップＳ５８）。この際、表示部２に表示し切れない場合はスクロール表示可能にする。ＭＰＵ１３は表示部２に表示した一覧表示からユーザが十字キー４１と「ＳＥＴ」ボタン４２とを操作してダウンロードする曲を選択したか否かを監視している（ステップＳ５９）。そして、ユーザがダウンロードする曲を選択すると（ステップＳ５９でＹＥＳ）、ＭＰＵ１３はコンピュータからデータ通信部１６を介してその曲の楽曲データと全てのコンテンツ情報とをダウンロードしてＲＡＭに一時記憶する（ステップＳ６０）。【００９６】  次にＭＰＵ１３は一時記憶した楽曲データが圧縮データであるか否かを判断する（ステップＳ６１）。一時記憶した楽曲データが非圧縮データではない、即ち既に圧縮されているデータである場合は（ステップＳ６１でＮＯ）、ＭＰＵ１３は一時記憶している楽曲データとそのコンテンツ情報とをリンクさせてＨＤ１５Ｈに記録する（ステップＳ６５）。一時記憶した楽曲データが非圧縮データであった場合は（ステップＳ６１でＹＥＳ）、ＭＰＵ１３は表示部２に図１０（ｃ）の模式図に示すように圧縮するか否かの指示を促すメッセージを表示する（ステップＳ６２）。ユーザが圧縮しないことを操作部４の操作により指示した場合（ステップＳ６３でＮＯ）、ＭＰＵ１３はその指示に従って、一時記憶している音楽データとその曲の付随情報とをリンクさせてＨＤ１５Ｈに記録する（ステップＳ６５）。一方、ユーザが圧縮することを操作部４の操作により指示した場合（ステップＳ６３でＹＥＳ）、ＭＰＵ１３はその指示に従って、一時記憶している音楽データをエンコード部１４に圧縮符号化させ（ステップＳ６４）、圧縮符号化された音楽データとその曲の付随情報とをリンクさせてＨＤ１５Ｈに記録する（ステップＳ６５）。【００９７】  以上のようにして順次ユーザが指示した曲の楽曲データとその付属情報であるコンテンツ情報とがコンピュータからダウンロードされてＨＤ１５Ｈに記録されてゆくが（ステップＳ６６でＮＯ）、ユーザが終了を指示した場合（ステップＳ６６でＹＥＳ）、具体的には「ＳＴＯＰ」ボタン４４を操作した場合、ＭＰＵ１３はこの処理を終了する。【００９８】  ところで、上述のコンピュータからダウンロードコンテンツである楽曲データをダウンロードする処理においては、ダウンロード可能な楽曲が表示部２に一覧表示される。しかし、ダウンロード可能な楽曲の一覧表示をコンピュータのモニタ画面に行ない、コンピュータ側で楽曲を指示することによって本発明に係る放送受信装置へ楽曲データ及びコンテンツ情報がダウンロードされるようにしてもよいことはいうまでもない。【００９９】（再生モードの処理手順）
次に、上述のようにしてＨＤ１５Ｈに記録された各音楽データの再生の際の処理手順（再生モード）について説明する。ユーザが図２の表示部２に表示されているメニュー画面の「再生リスト」を十字キー４１の操作で選択して「ＳＥＴ」ボタン４２で指定すると、ＨＤ１５Ｈに記録されている楽曲データそれぞれのコンテンツ情報が表示部２に一覧表示される。但し、上述のようにユーザが表示部２に表示されている「再生リスト」を指定した場合、後述するように表示部２には「放送局別再生リスト」、「ダウンロード再生リスト」、「ジャンル別再生リスト（放送局＋ダウンロード）」が表示されるので、ユーザが更にそれらの内のいずれかを上述同様にして選択して指定する。【０１００】  以下、図１１のＭＰＵ１３による「再生モード」の際の処理手順を示すフローチャートを参照して説明する。メニュー画面を表示している状態でＭＰＵ１３はユーザによる操作入力の有無を監視しており（ステップＳ７１でＮＯ）、操作入力があると（ステップＳ７１でＹＥＳ）、「再生リスト」の指示であるか否かを判断する（ステップＳ７２）。「再生リスト」の指示でなかった場合は（ステップＳ７２でＮＯ）、ＭＰＵ１３は指示された他の処理を実行し（ステップＳ７３）、ステップＳ７１へ処理を戻す。【０１０１】  入力された指示が「再生リスト」の指示であった場合（ステップＳ７２でＹＥＳ）、上述したようにＭＰＵ１３は「放送局別再生リスト」、「ダウンロード再生リスト」、「ジャンル別再生リスト（放送局＋ダウンロード）」の表示を図１２（ａ）の模式図に示すように表示部２に行ない、上述同様にしてユーザの選択指示を受け付ける。【０１０２】  ユーザがたとえば「放送局別再生リスト」を指示した場合、ＭＰＵ１３はＨＤ１５Ｈに記録されている全ての音楽データの内から、放送局の放送を受信して記録した楽曲データのコンテンツ情報を表示部２に一覧表示する（ステップＳ７４）。図１２（ｂ）はその際の表示部２の表示状態を示す模式図である。この例では、放送局別のそれぞれの放送局の放送を受信してＨＤ１５Ｈに記録されている楽曲データのコンテンツ情報（図示例では曲名のみ）がグループ化されて表示される。また、ユーザが「ダウンロード再生リスト」を指示した場合、ＭＰＵ１３はＨＤ１５Ｈに記録されている全ての音楽データの内から、コンピュータからダウンロードしたコンテンツ、換言すれば放送局情報がコンテンツ情報に含まれていない楽曲データのコンテンツ情報を表示部２に一覧表示する（ステップＳ７５）。更に、ユーザが「ジャンル別再生リスト」を指示した場合、ＨＤ１５Ｈに記録されている全ての楽曲データの内から、図１２（ｃ）の模式図に示すように、ジャンル別の各ジャンルの楽曲データのコンテンツ情報がグループ化されて表示部２に表示される（ステップＳ７６）。なおここで、コンテンツ情報として放送局名が表示されている場合は放送コンテンツ（放送を受信した楽曲）であることを、放送局名が表示されていない場合はダウンロードコンテンツ（コンピュータからダウンロードした楽曲）であることをそれぞれ意味している。【０１０３】  なお図１２（ｂ）に示されている例では、個々の楽曲が記録された際に放送を受信した放送局���と、コンテンツ情報としての曲名とがそれぞれ表示されている。また図１２（ｃ）に示されている例では、一つのジャンル（クラシック）を表示部２の画面に表示しているが、複数のジャンルの曲名を一覧表示することも可能である。また、曲名の後の「／」の後に「ソース」として放送局名が表示されている場合は放送コンテンツを記録したことを意味している。また、「作者」として人名（又はバンド，ユニット名）が表示されている場合はコンピュータからダウンロードコンテンツであることを意味している。但し、その他にキャラクタ，アイコン等を用いてこれらの情報を更に容易にユーザに認識可能にさせるようにしてもよい。【０１０４】  いずれにしろ表示部２には複数の、あるいは多数の楽曲データのコンテンツ情報が一覧表示されるので、ユーザは十字キー４１の操作でカーソルを移動させてそれらの内の一曲を指定し、「ＳＥＴ」ボタン４２を操作すればその曲が再生される（又は、複数を指定することにより、いわゆるプレイリストを作成することも可能である）。具体的には、ＭＰＵ１３は表示部２に一覧表示されている内のいずれの曲が選択指示されるかを監視しており（ステップＳ７７でＮＯ，Ｓ７８でＮＯ）、曲の選択指示が行なわれずに終了の指示、具体的には「ＳＴＯＰ」ボタン４４が操作された場合には（ステップＳ７７でＮＯ，Ｓ７８でＹＥＳ）、この処理を終了する。この際には、表示部２にはメニュー画面が表示される。【０１０５】  いずれかの曲が選択指示された場合（ステップＳ７７でＹＥＳ）、ＭＰＵ１３は選択された楽曲データをＨＤ１５Ｈから読み出し、圧縮されていない場合にはそのままオーディオ信号出力部２１でアナログのオーディオ信号に変換し、圧縮されている場合にはデコード部２０で伸張復号化処理した上でオーディオ信号出力部２１でアナログのオーディオ信号に変換し、それぞれヘッドフォンジャック６へ出力する（ステップＳ７９）。この後、ＭＰＵ１３は再生中の楽曲データの再生が終了するまでの間、「ＳＴＯＰ」ボタン４４の操作によりユーザが終了を指示したか否かを監視している（ステップＳ８０でＮＯ，Ｓ８１でＮＯ）。「ＳＴＯＰ」ボタン４４の操作によりユーザが終了を指示した場合には（ステップＳ８１でＹＥＳ）、ＭＰＵ１３はこの処理を終了する。しかし、再生中の楽曲データの再生が終了するまでにユーザによる「ＳＴＯＰ」ボタン４４の操作による終了の指示がなかった場合には（ステップＳ８０でＹＥＳ、Ｓ８２でＮＯ）、ＭＰＵ１３はステップＳ７７へ処理を戻してユーザが次にどの曲を選択指示するかの監視を行なう。しかし、一曲の再生が終了した時点でユーザによる「ＳＴＯＰ」ボタン４４の操作による終了の指示があった場合には（ステップＳ８０でＹＥＳ、Ｓ８２でＹＥＳ）、ＭＰＵ１３はこの処理を終了する。【０１０６】  なお、前述した「放送局サーチモード」及び「放送受信モード」に際しては、図１３（ａ）の模式図に示すように、受信可能な放送局の受信レベルを表示部２にグラフィック表示することにより、ユーザが放送局を選択する際の参考に供することが可能である。具体的には、放送受信部１０のサーチ回路が検出した放送搬送波の電界強度をデジタルデータ化してグラフィック表示す���ことにより、容易に可能である。【０１０７】  また、本発明に係る放送受信装置のような種々の装置においては放送の視聴及び記録媒体への記録の予約を設定しておくことにより、設定した時間帯に自動的に受信が行なわれるようにしたり、またはそれと共に自動的にコンテンツの記録が行なわれるようにしたりする機能は一般的に採用されている。従って、本発明に係る放送受信装置においても、図１３（ｂ）の模式図に示すように、操作部４の操作に応じて設定した放送局の放送を受信すること、及び録音（コンテンツである楽曲データの記録）することが可能である。【０１０８】  具体的には、前述した「放送局サーチモード」及び「放送受信モード」において受信可能な放送局を表示部２に一覧表示した状態でユーザが操作部４を所定の手順で操作することにより、図１３（ｂ）にハッチングにて示す部分を予約開始時刻及び予約終了時刻（又は予約開始時刻及び予約開始時刻からの時間）として設定すると、ＭＰＵ１３がそれらの情報を読込んでＲＡＭ又はＨＤ１５Ｈに記憶させる。ＭＰＵ１３は自身に内蔵しているタイマが刻時している絶対時刻に従って放送の受信及び受信した放送コンテンツ（楽曲データ）のＨＤ１５Ｈへの記録を行なう。
【産業上の利用可能性】
【０１０９】  以上に詳述したように本発明に係る放送受信装置によれば、受信可能な放送局の全てをサーチしてその内から一つを直接選局して受信することが可能になる。また、サーチした放送局に関する情報を予め記憶した放送局情報テーブルを備えているので、サーチした放送局に関する種々の付随情報を表示させることができ、この場合には更に地域別に指定することも可能である。また、放送局が新規に開局した場合にも、コンピュータとのデータ通信手段によって最新の情報で放送局情報テーブルを更新することが可能になる。【０１１０】  また本発明に係る放送受信装置によれば、コンピュータからダウンロードしたコンテンツである楽曲データを再生することが可能であると共に、放送を受信してコンテンツを記録することにより、コンピュータからはダウンロードできない最新の音楽、懐メロ等、あるいはコンピュータからはダウンロードできないジャンルの音楽の楽曲データを記録しておくことが可能になるので、記録して再生することが可能な音楽が大幅に増加して選択肢が拡大する。【０１１１】  更に本発明に係る放送受信装置によれば、コンピュータからダウンロードした楽曲データと放送局から受信して記録した楽曲データとを一括して表示させたり、それぞれのソース別に表示させたり、又はジャンル別に表示させたりすることができるので使い勝手が向上する。また、放送を受信しての楽曲の記録及びコンピュータからのダウンロード、更にそれらの楽曲を再生する機能をも有するにも拘わらず、少ない操作ボタンで操作が可能になるので小型化が図れる。【０１１２】  更に、本発明に係る放送受信装置によれば、コンテンツである楽曲データを記録する際に圧縮または非圧縮のいずれかを選択することができるので、高音質で聞きたい曲は非圧縮で記録しておけばよく、また記録媒体の残記憶容量が少なくなった場合にはデータを圧縮して記録する等の使い分けが可能になる。【０１１３】  なお、上記の説明においては、本発明に係る放送受信装置が記録・再生する情報は音楽に関する情報であるとして説明したが、他に静止画、動画を対象として処理することも勿論可能である。
【図１】
2006067871.tif 000002
【図２】
2006067871.tif 000003
【図３】
2006067871.tif 000004
【図４】
2006067871.tif 000005
【図５】
2006067871.tif 000006
【図６】
2006067871.tif 000007
【図７】
2006067871.tif 000008
【図８】
2006067871.tif 000009
【図９】
2006067871.tif 000010
【図１０】
2006067871.tif 000011
【図１１】
2006067871.tif 000012
【図１２】
2006067871.tif 000013
【図１３】
2006067871.tif 000014
【手続補正書】
【提出日】平成20年3月5日(2008.3.5)
【手続補正１】
【補正対象書類名】特許請求の範囲
【補正対象項目名】全文
【補正方法】変更
【補正の内容】
【特許請求の範囲】
【請求項１】
放送を受信する放送受信手段と、該放送受信手段が受信可能な放送局の搬送周波数をサーチする放送局サーチ手段と、表示部とを備えた放送受信装置において、
前記放送局サーチ手段がサーチした受信可能な搬送周波数を記憶する記憶手段と、
前記記憶手段が記憶している搬送周波数を放送局情報の一覧として前記表示部に表示させる表示制御手段と、
前記表示部に表示された放送局情報の一覧の内からいずれかの放送局を選局する指定を受け付ける受付手段と、
該受付手段が受け付けた指定に対応する搬送周波数の放送を前記放送受信手段に受信させる受信制御手段と、
該受信制御手段の制御により前記放送受信手段が受信中の放送のコンテンツに関連するコンテンツ情報を受信するコンテンツ情報受信手段と、
前記放送受信手段が受信した放送のコンテンツのデータ及び該コンテンツに関連して前記コンテンツ情報受信手段が受信したコンテンツ情報を対応付けて記録媒体に記録させる記録制御手段と
を備え、
外部のコンピュータと通信することが可能な通信手段を更に備え、
前記記録制御手段は、前記通信手段が外部のコンピュータから受信した情報に含まれるコンテンツのデータ及び該コンテンツに関連するコンテンツ情報を対応付けて前記記録媒体に記録させるようにしてあり、
前記記録媒体に記録されているコンテンツのデータを読み出して再生する再生手段を備え、
前記表示制御手段は、前記記録媒体に記録されているコンテンツ情報を前記記録媒体から読み出してコンテンツの一覧として前記表示部に表示させ、
前記受付手段は、前記表示部に表示されたコンテンツの一覧の内からいずれかのコンテンツを選択する指定を受け付け、
前記再生手段は、前記受付手段が受け付けた指定に対応付けて前記記録媒体が記憶しているコンテンツのデータを読み出して再生するようにしてあること
を特徴とする放送受信装置。
【請求項２】
放送を受信する放送受信手段と、該放送受信手段が受信可能な放送局の搬送周波数をサーチする放送局サーチ手段と、表示部とを備えた放送受信装置において、
複数の放送局に割当てられている搬送周波数、及び各搬送周波数に対応付けて、放送局の名称、愛称、放送内容のジャンルの内の少なくとも一つを含む付随情報をそれぞれ予め記憶した放送局情報テーブルと、
前記放送局サーチ手段がサーチした受信可能な搬送周波数に対応付けて前記放送局情報テーブルが記憶している付随情報を読み出して放送局情報の一覧として前記表示部に表示させる表示制御手段と、
前記表示部に表示された放送局情報の一覧の内からいずれかの放送局を選局する指定を受け付ける受付手段と、
該受付手段が受け付けた指定に対応する搬送周波数の放送を前記放送受信手段に受信させる受信制御手段と、
該受信制御手段の制御により前記放送受信手段が受信中の放送のコンテンツに関連するコンテンツ情報を受信するコンテンツ情報受信手段と、
前記放送受信手段が受信した放送のコンテンツのデータ及び該コンテンツに関連して前記コンテンツ情報受信手段が受信したコンテンツ情報を対応付けて記録媒体に記録させる記録制御手段と
を備え、
外部のコンピュータと通信することが可能な通信手段を更に備え、
前記記録制御手段は、前記通信手段が外部のコンピュータから受信した情報に含まれるコンテンツのデータ及び該コンテンツに関連するコンテンツ情報を対応付けて前記記録媒体に記録させるようにしてあり、
前記記録媒体に記録されているコンテンツのデータを読み出して再生する再生手段を備え、
前記表示制御手段は、前記記録媒体に記録されているコンテンツ情報を前記記録媒体から読み出してコンテンツの一覧として前記表示部に表示させ、
前記受付手段は、前記表示部に表示されたコンテンツの一覧の内からいずれかのコンテンツを選択する指定を受け付け、
前記再生手段は、前記受付手段が受け付けた指定に対応付けて前記記録媒体が記憶しているコンテンツのデータを読み出して再生するようにしてあること
を特徴とする放送受信装置。
【請求項３】
前記放送局情報テーブルは地域別に複数備えられており、
前記受付手段は地域指定を受け付け、
前記表示制御手段は前記受付手段が受け付けた地域指定に対応する地域の放送局情報テーブルが記憶している付随情報を読み出して放送局情報の一覧として前記表示部に表示させること
を特徴とする請求項２に記載の放送受信装置。
【請求項４】
前記通信手段が外部のコンピュータから受信したコンテンツのデータを圧縮符号化する符号化手段と、
該符号化手段が圧縮符号化したデータを復元する復号化手段と
を更に備え、
前記受付手段は、前記通信手段が外部のコンピュータから受信したコンテンツのデータを前記符号化手段により圧縮符号化するか否かの選択を受け付け、
前記記録制御手段は、前記受付手段が圧縮符号化する選択を受け付けた場合に、前記通信手段が外部のコンピュータから受信したコンテンツのデータを前記符号化手段に圧縮符号化させて前記記録媒体に記録し、
前記再生手段は、圧縮符号化されて前記記録媒体に記録されているコンテンツのデータを再生する場合に、前記復号化手段に復元させるようにしてあること
を特徴とする請求項１乃至３のいずれか一つに記載の放送受信装置。
【請求項５】
前記記録媒体に記録されているコンテンツ情報を抽出するための条件を受け付ける抽出条件受付手段と、
前記記録媒体に記録されているコンテンツ情報を前記抽出条件受付手段が受け付けた条件に従って抽出する抽出手段とを更に備え、
前記表示制御手段は、前記抽出手段が記録媒体から抽出したコンテンツ情報を前記記録媒体から読み出してコンテンツの一覧として前記表示部に表示させ、
前記受付手段は、前記表示部に表示されたコンテンツ情報の内からいずれかの指定を受け付け、
前記再生手段は、前記受付手段が受け付けた指定に対応付けて前記記録媒体が記憶しているコンテンツを再生するようにしてあること
を特徴とする請求項１乃至４のいずれか一つに記載の放送受信装置。
【請求項６】
前記コンテンツは楽曲であり、前記コンテンツ情報は対応するコンテンツである楽曲のジャンル，曲名，演奏者，作者の内の少なくとも一つを含むことを特徴とする請求項１乃至５のいずれか一つに記載の放送受信装置。
【請求項７】
前記記録制御手段は、前記放送受信手段が受信した放送のコンテンツのデータ及び該コンテンツに関連して前記コンテンツ情報受信手段が受信したコンテンツ情報に加えて、受信した放送局に対応付けて前記放送局情報テーブルが記憶している付随情報を対応付けて記録媒体に記録させ、
前記抽出手段は、前記記録媒体に記録されているコンテンツ情報を付随情報の有無、付随情報の内容、またはコンテンツ情報の内容に従って並び替えて抽出するようにしてあることを特徴とする請求項５又は６に記載の放送受信装置。
【請求項８】
前記通信手段は、複数の放送局それぞれに割り当てられた放送搬送波周波数と、放送局の付随情報とを対応付けた情報を外部のコンピュータから受信することが可能であり、
前記放送局情報テーブルは、前記通信手段が外部のコンピュータから受信した情報に基づいて記憶内容が更新されるようにしてあることを特徴とする請求項１乃至７のいずれか一つに記載の放送受信装置。
【請求項９】
時刻を刻時するタイマ手段を更に備え、
前記受付手段は、前記表示部に表示された放送局情報の一覧の内からいずれかの放送局を選局する指定と、受け付けた指定に対応する搬送周波数の放送を受信して放送のコンテンツ及びコンテンツ情報の前記記録媒体への記録の開始時刻と、記録の終了時刻又は記録時間とを受け付け、
前記放送受信手段は、前記タイマ手段の刻時に従って、前記受付手段が受け付けた放送局情報と、記録の開始時刻と、記録の終了時刻又は記録時間とに従って放送を受信し、
前記記録制御手段は、前記タイマ手段の刻時に従って、前記放送受信手段が受信する放送を、前記受付手段が受け付けた放送局情報と、記録の開始時刻と、記録の終了時刻又は記録時間とに従って前記記録媒体に記録するようにしてあること
を特徴とする請求項１乃至８のいずれか一つに記載の放送受信装置。
【請求項１０】
前記表示制御手段は、前記受付手段が受け付けた、放送局情報と、放送のコンテンツ及びコンテンツ情報の前記記録媒体への記録の開始時刻と、記録の終了時刻又は記録時間とを前記表示部に表示するようにしてあることを特徴とする請求項９に記載の放送受信装置。
【請求項１１】
前記放送局サーチ手段は、前記放送受信手段が受信する搬送周波数帯をサーチして所定閾値以上の受信レベルが検出された搬送周波数を放送局の搬送周波数であると判定し、
前記表示制御手段は、前記表示部に表示された放送局情報の一覧にそれぞれに対応して前記放送局サーチ手段が検出した受信レベルを表示するようにしてあること
を特徴とする請求項１乃至１０のいずれか一つに記載の放送受信装置。
【手続補正２】
【補正対象書類名】明細書
【補正対象項目名】００１６
【補正方法】変更
【補正の内容】
【００１６】
本発明に係る放送受信装置は、放送を受信する放送受信手段と、該放送受信手段が受信可能な放送局の搬送周波数をサーチする放送局サーチ手段と、表示部とを備えた放送受信装置において、前記放送局サーチ手段がサーチした受信可能な搬送周波数を記憶する記憶手段と、前記記憶手段が記憶している搬送周波数を放送局情報の一覧として前記表示部に表示させる表示制御手段と、前記表示部に表示された放送局情報の一覧の内からいずれかの放送局を選局する指定を受け付ける受付手段と、該受付手段が受け付けた指定に対応する搬送周波数の放送を前記放送受信手段に受信させる受信制御手段と、該受信制御手段の制御により前記放送受信手段が受信中の放送のコンテンツに関連するコンテンツ情報を受信するコンテンツ情報受信手段と、前記放送受信手段が受信した放送のコンテンツのデータ及び該コンテンツに関連して前記コンテンツ情報受信手段が受信したコンテンツ情報を対応付けて記録媒体に記録させる記録制御手段とを備え、外部のコンピュータと通信することが可能な通信手段を更に備え、前記記録制御手段は、前記通信手段が外部のコンピュータから受信した情報に含まれるコンテンツのデータ及び該コンテンツに関連するコンテンツ情報を対応付けて前記記録媒体に記録させるようにしてあり、前記記録媒体に記録されているコンテンツのデータを読み出して再生する再生手段を備え、前記表示制御手段は、前記記録媒体に記録されているコンテンツ情報を前記記録媒体から読み出してコンテンツの一覧として前記表示部に表示させ、前記受付手段は、前記表示部に表示されたコンテンツの一覧の内からいずれかのコンテンツを選択する指定を受け付け、前記再生手段は、前記受付手段が受け付けた指定に対応付けて前記記録媒体が記憶しているコンテンツのデータを読み出して再生するようにしてあることを特徴とする。
【手続補正３】
【補正対象書類名】明細書
【補正対象項目名】００１７
【補正方法】変更
【補正の内容】
【００１７】
このような本発明に係る放送受信装置は、放送局サーチ手段がサーチした受信可能な搬送周波数が放送局情報の一覧として表示し、その内からいずれかの指定を直接受け付けて対応する搬送周波数の放送を受信する。またこのような本発明に係る放送受信装置は、サーチした受信可能な放送局のいずれかからコンテンツと各コンテンツに関連するコンテンツ情報とを受信して記録媒体に記録し、各コンテンツに関連するコンテンツ情報を一覧表示し、この内から指定されたコンテンツを再生する。さらにこのような本発明に係る放送受信装置は、受信した放送からのコンテンツに加えて、外部のコンピュータからもコンテンツをダウンロードして記録媒体に記録する。
【手続補正４】
【補正対象書類名】明細書
【補正対象項目名】００１８
【補正方法】変更
【補正の内容】
【００１８】
また本発明に係る放送受信装置は、放送を受信する放送受信手段と、該放送受信手段が受信可能な放送局の搬送周波数をサーチする放送局サーチ手段と、表示部とを備えた放送受信装置において、複数の放送局に割当てられている搬送周波数、及び各搬送周波数に対応付けて、放送局の名称、愛称、放送内容のジャンルの内の少なくとも一つを含む付随情報をそれぞれ予め記憶した放送局情報テーブルと、前記放送局サーチ手段がサーチした受信可能な搬送周波数に対応付けて前記放送局情報テーブルが記憶している付随情報を読み出して放送局情報の一覧として前記表示部に表示させる表示制御手段と、前記表示部に表示された放送局情報の一覧の内からいずれかの放送局を選局する指定を受け付ける受付手段と、該受付手段が受け付けた指定に対応する搬送周波数の放送を前記放送受信手段に受信させる受信制御手段と、該受信制御手段の制御により前記放送受信手段が受信中の放送のコンテンツに関連するコンテンツ情報を受信するコンテンツ情報受信手段と、前記放送受信手段が受信した放送のコンテンツのデータ及び該コンテンツに関連して前記コンテンツ情報受信手段が受信したコンテンツ情報を対応付けて記録媒体に記録させる記録制御手段とを備え、外部のコンピュータと通信することが可能な通信手段を更に備え、前記記録制御手段は、前記通信手段が外部のコンピュータから受信した情報に含まれるコンテンツのデータ及び該コンテンツに関連するコンテンツ情報を対応付けて前記記録媒体に記録させるようにしてあり、前記記録媒体に記録されているコンテンツのデータを読み出して再生する再生手段を備え、前記表示制御手段は、前記記録媒体に記録されているコンテンツ情報を前記記録媒体から読み出してコンテンツの一覧として前記表示部に表示させ、前記受付手段は、前記表示部に表示されたコンテンツの一覧の内からいずれかのコンテンツを選択する指定を受け付け、前記再生手段は、前記受付手段が受け付けた指定に対応付けて前記記録媒体が記憶しているコンテンツのデータを読み出して再生するようにしてあることを特徴とする。
【手続補正５】
【補正対象書類名】明細書
【補正対象項目名】００１９
【補正方法】変更
【補正の内容】
【００１９】
このような本発明に係る放送受信装置は、放送局サーチ手段がサーチした受信可能な搬送周波数に対応付けて放送局情報テーブルが記憶している付随情報が読み出されて放送局情報の一覧として表示し、その内からいずれかの指定を直接受け付けて対応する搬送周波数の放送を受信する。またこのような本発明に係る放送受信装置は、放送局の名称，愛称，放送内容のジャンル等の情報を付随情報として放送局情報の一覧に併せて表示する。さらにこのような本発明に係る放送受信装置は、サーチした受信可能な放送局のいずれかからコンテンツと各コンテンツに関連するコンテンツ情報とを受信して記録媒体に記録し、各コンテンツに関連するコンテンツ情報を一覧表示し、この内から指定されたコンテンツを再生する。しかもこのような本発明に係る放送受信装置は、受信した放送からのコンテンツに加えて、外部のコンピュータからもコンテンツをダウンロードして記録媒体に記録する。
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００２４
【補正方法】削除
【補正の内容】
【手続補正９】
【補正対象書類名】明細書
【補正対象項目名】００２５
【補正方法】削除
【補正の内容】
【手続補正１０】
【補正対象書類名】明細書
【補正対象項目名】００２６
【補正方法】削除
【補正の内容】
【手続補正１１】
【補正対象書類名】明細書
【補正対象項目名】００２７
【補正方法】削除
【補正の内容】
【手続補正１２】
【補正対象書類名】明細書
【補正対象項目名】００３８
【補正方法】変更
【補正の内容】
【００３８】
また本発明に係る放送受信装置は上記のいずれかの発明において、時刻を刻時するタイマ手段を更に備え、前記受付手段は、前記表示部に表示された放送局情報の一覧の内からいずれかの放送局を選局する指定と、受け付けた指定に対応する搬送周波数の放送を受信して放送のコンテンツ及びコンテンツ情報の前記記録媒体への記録の開始時刻と、記録の終了時刻又は記録時間とを受け付け、前記放送受信手段は、前記タイマ手段の刻時に従って、前記受付手段が受け付けた放送局情報と、記録の開始時刻と、記録の終了時刻又は記録時間とに従って放送を受信し、前記記録制御手段は、前記タイマ手段の刻時に従って、前記放送受信手段が受信する放送を、前記受付手段が受け付けた放送局情報と、記録の開始時刻と、記録の終了時刻又は記録時間とに従って前記記録媒体に記録するようにしてあることを特徴とする。
【国際調査報告】
2006067871.tif 000015
2006067871.tif 000016
2006067871.tif 000017
2006067871.tif 000018